(57)【要約】【課題】透光性基板間の接続を簡易に行うことができ、また透光性基板の収縮が生じたときの接続に対する影響も緩和することのできる座標入力装置とそれを備えた表示装置及び電子機器を提供する。【解決手段】第１の透光性基板１０と第２の透光性基板２０とが、絶縁層４０を介して対向配置され、各透光性基板の内面側に透明導電膜１１、２１が形成され、第１の透光性基板１０は第２の透光性基板と対向する面に第１の接続電極部１３を備え、第２の透光性基板２０は第１の接続電極部と接続される第２の接続電極部２３を備え、第１の透光性基板１０には、片持ち状の舌片１６が構成されるように舌片形成スリット１５が形成され、第１の接続電極部１３は舌片１６に配置されると共に、舌片１６を第２の透光性基板側に近接するように屈曲させて、第１の接続電極部１３と第２の接続電極部２３とを接続する。【選択図】図３
2012247812.tif 000002
【特許請求の範囲】
【請求項１】
第１の透光性基板と、一方の面が操作面側とされ可撓性を有する第２の透光性基板とが、絶縁層を介して対向配置され、各透光性基板の内面側に透明導電膜が形成された座標入力装置において、
前記第１の透光性基板は前記第２の透光性基板と対向する面に第１の接続電極部を備え、前記第２の透光性基板は前記第１の接続電極部と接続される第２の接続電極部を備え、
前記第１の透光性基板には、片持ち状の舌片が構成されるように舌片形成スリットが形成され、前記第１の接続電極部は前記舌片に配置されると共に、該舌片を前記第２の透光性基板側に近接するように屈曲させて、前記第１の接続電極部と第２の接続電極部とを接続することを特徴とする座標入力装置。
【請求項２】
前記舌片は、前記第１の接続電極部が配置される位置よりも根元側で屈曲されることを特徴とする請求項１記載の座標入力装置。
【請求項３】
前記第１の透光性基板には、該第１の透光性基板に設けられる出力用電極と接続される第３の接続電極部を表面に備えた電極シートが固着されることを特徴とする請求項１または２記載の座標入力装置。
【請求項４】
前記第１の透光性基板には、前記電極シートを挿通させるシート引き出しスリットが形成され、前記電極シートは、前記第１の透光性基板の前記第２の透光性基板と対向する面と反対側面から、前記シート引き出しスリットを介して前記第１の透光性基板と第２の透光性基板の間の領域に挿入されると共に、該領域内で前記第３の接続電極部が前記出力用電極と接続されることを特徴とする請求項３記載の座標入力装置。
【請求項５】
表示パネルの表面に請求項１〜４のいずれか１項に記載の座標入力装置が設けられてなる表示装置。
【請求項６】
請求項５記載の表示装置を表示部として備える電子機器。
【発明の詳細な説明】
【技術分野】
【０００１】
本発明は、平面状の入力部を備え該入力部の押圧された座標位置を出力することのできる座標入力装置とそれを備えた表示装置及び電子機器に関し、特に出力信号を取り出すフレキシブル基板を上下透光性基板間から取り出してなる座標入力装置とそれを備えた表示装置及び電子機器に関する。
【背景技術】
【０００２】
携帯電話やＰＤＡ、ＰＣなどの情報端末は、液晶表示パネル等の表示画面を備えており、その表面をタッチペンや指で押圧することにより、メニューの選択やデータの入力を行うことができるように、表示画面の表面を覆うように座標入力装置が設けられることがある。座標入力装置を備えた機器は、最近ではさらにデジタルカメラや携帯ゲーム機などにも広がっている。
【０００３】
座標入力装置は、表示画面の表面に設けられるため、それ自身は透明である必要がある。透明な入力部を備えた座標入力装置としては、抵抗膜型のものが知られている。抵抗膜型の座標入力装置は、表示画面側に例えばＩＴＯ（Indium Tin Oxide）等の透明導電材料からなる透明導電膜を表面に形成した樹脂板またはガラス板からなる第１の透光性基板を配置し、操作側に透明導電膜が形成された透明なフィルムからなる第２の透光性基板を配置し、これら透光性基板の各透明導電膜が対向するように、間に絶縁層を設けて構成されている。第２の透光性基板は可撓性を有しており、タッチペンや指で押圧することにより撓んで、対向する透明導電膜同士が接触する。透光性基板の各外周部には、印刷回路が形成されており、押圧操作された際の透明導電膜の抵抗による分圧比を、互いに直交するＸ方向とＹ方向についてそれぞれ測定することで、入力部における押圧位置を特定することができる。
【０００４】
座標入力装置においては、離隔して対向する第１の透光性基板と第２の透光性基板の両方に、電極が配置されている。出力を座標入力装置の一面側から取り出すためには、第１の透光性基板と第２の透光性基板との間を、電気的に接続する必要がある。従来の座標入力装置では、両者間の電気的な接続のために、導電性の例えば銀ペーストを設けていた。このような座標入力装置としては、例えば特許文献１に挙げるようなものがある。
【先行技術文献】
【特許文献】
【０００５】
【特許文献１】特開２００６−５９０３４号公報
【発明の概要】
【発明が解決しようとする課題】
【０００６】
しかし、第１の透光性基板と第２の透光性基板との間は、離隔しているため、これらの間を確実に接続するためには、高度な技術が必要であり、製造工程が複雑化する要因となっていた。また、透光性基板間に銀ペーストなどを設けた場合には、透光性基板の収縮に対する厚み方向の裕度がほとんどないため、接続の信頼性の点で問題が生じる可能性もあった。また、収縮によって銀ペーストの部分において入力部側に凹凸を生じる可能性もあった。
【０００７】
本発明は前記課題を鑑みてなされたものであり、透光性基板間の接続を簡易に行うことができ、また透光性基板の収縮が生じたときの接続に対する影響も緩和することのできる座標入力装置とそれを備えた表示装置及び電子機器を提供することを目的とする。
【課題を解決するための手段】
【０００８】
前記課題を解決するため、本発明に係る座標入力装置は、第１の透光性基板と、一方の面が操作面側とされ可撓性を有する第２の透光性基板とが、絶縁層を介して対向配置され、各透光性基板の内面側に透明導電膜が形成された座標入力装置において、
前記第１の透光性基板は前記第２の透光性基板と対向する面に第１の接続電極部を備え、前記第２の透光性基板は前記第１の接続電極部と接続される第２の接続電極部を備え、
前記第１の透光性基板には、片持ち状の舌片が構成されるように舌片形成スリットが形成され、前記第１の接続電極部は前記舌片に配置されると共に、該舌片を前記第２の透光性基板側に近接するように屈曲させて、前記第１の接続電極部と第２の接続電極部とを接続することを特徴として構成されている。
【０００９】
また、本発明に係る座標入力装置は、前記舌片は、前記第１の接続電極部が配置される位置よりも根元側で屈曲されることを特徴として構成されている。
【００１０】
さらに、本発明に係る座標入力装置は、前記第１の透光性基板には、該第１の透光性基板に設けられる出力用電極と接続される第３の接続電極部を表面に備えた電極シートが固着されることを特徴として構成されている。
【００１１】
さらにまた、本発明に係る座標入力装置は、前記第１の透光性基板には、前記電極シートを挿通させるシート引き出しスリットが形成され、前記電極シートは、前記第１の透光性基板の前記第２の透光性基板と対向する面と反対側面から、前記シート引き出しスリットを介して前記第１の透光性基板と第２の透光性基板の間の領域に挿入されると共に、該領域内で前記第３の接続電極部が前記出力用電極と接続されることを特徴として構成されている。
【００１２】
そして、本発明に係る表示装置は、表示パネルの表面に前記いずれかの座標入力装置が設けられて構成されている。
【００１３】
また、本発明に係る電子機器は、前記表示装置を表示部として備えて構成されている。
【発明の効果】
【００１４】
本発明に係る座標入力装置によれば、第１の透光性基板は第２の透光性基板と対向する面に第１の接続電極部を備え、第２の透光性基板は第１の接続電極部と接続される第２の接続電極部を備え、第１の透光性基板には、片持ち状の舌片が構成されるように舌片形成スリットが形成され、第１の接続電極部は舌片に配置されると共に、舌片を第２の透光性基板側に近接するように屈曲させて、第１の接続電極部と第２の接続電極部とを接続することにより、舌片を第２の透光性基板に押付けて固着するという簡単な工程により、第１の透光性基板と第２の透光性基板の間で電気的な接続をなすことができ、製造工程を簡易化することができる。また、舌片を屈曲させているので、第１の透光性基板や第２の透光性基板に、温度変化等による収縮が生じた場合であっても、屈曲部分で収縮が緩和されて接続部分に影響を与えないようにすることができる。したがって、収縮が生じた場合にも、第１の透光性基板と第２の透光性基板の間で、確実な接続を維持することができ、また入力部側に対する凹凸の発生も防止することができる。
【００１５】
また、本発明に係る座標入力装置によれば、舌片は、第１の接続電極部が配置される位置よりも根元側で屈曲されることにより、舌片の屈曲が電気的な接続をなす電極部に影響を与えることがないようにすることができる。
【００１６】
さらに、本発明に係る座標入力装置によれば、第１の透光性基板には、第１の透光性基板に設けられる出力用電極と接続される第３の接続電極部を表面に備えた電極シートが固着されることにより、電極シートが第２の透光性基板側に固着されないので、電極による凹凸が入力部側に表れないようにすることができる。
【００１７】
さらにまた、本発明に係る座標入力装置によれば、第１の透光性基板には、電極シートを挿通させるシート引き出しスリットが形成され、電極シートは、第１の透光性基板の第２の透光性基板と対向する面と反対側面から、シート引き出しスリットを介して第１の透光性基板と第２の透光性基板の間の領域に挿入されると共に、該領域内で第３の接続電極部が出力用電極と接続されることにより、電極シートを座標入力装置の下面側から引き出すことができるので、座標入力装置を取付ける機器内において、電極シートを取り回しやすくすることができ、また電極シートを座標入力装置の下面に直接、接続する場合と異なり、スルーホールを不要とすることができるので、工程を簡易化し座標入力装置の製造を容易にすることができる。
【図面の簡単な説明】
【００１８】
【図１】本実施形態における座標入力装置の概念的な分解斜視図である。
【図２】座標入力装置の動作原理を表した模式図である。
【図３】座標入力装置が組み立てられた状態における図１のＡ−Ａ断面に相当する断面図である。
【図４】座標入力装置の第１の透光性基板側から見た舌片形成スリット及びシート引き出しスリット付近の拡大斜視図である。
【図５】本実施形態の座標入力装置が用いられている電子機器の一例である、携帯電話機の斜視図である。
【図６】別の形態の座標入力装置の断面図である。
【図７】舌片の別の例を示す斜視図である。
【発明を実施するための形態】
【００１９】
本発明の実施形態について図面に沿って詳細に説明する。図１には、本実施形態における座標入力装置の概念的な分解斜視図を示している。この図に示すように、座標入力装置１は、大まかには平面状に形成された第１の透光性基板１０と、該第１の透光性基板１０と略同形状で平面状の第２の透光性基板２０とが対向配置され、第１の透光性基板１０の第２の透光性基板２０側と反対側面からは、出力用電極部３１を備えたフレキシブル基板からなる電極シート３０が取付けられると共に、第２の透光性基板２０の第１の透光性基板１０と反対側面には、加飾フィルム５０が設けられて構成される。  
【００２０】
第１の透光性基板１０は、可撓性を有する透明なフィルムによって形成されており、第２の透光性基板２０と対向する面には透明導電膜１１が形成されている。また、第２の透光性基板２０も、可撓性を有する透明なフィルムによって形成されており、第１の透光性基板１０と対向する面には透明導電膜２１が形成されている。透明導電膜１１、２１は、例えば透明無機材料としては、ＩＴＯ（Indium Tin Oxide）、ＺｎＯ、透明有機材料としてはカーボンナノチューブを含んだ樹脂フィルムなどの透明導電材料が用いられており、面内で均一な抵抗値を有している。また、第１の透光性基板１０及び第２の透光性基板２０を構成するフィルムには、例えばＰＥＴ（ポリエチレンテレフタレート）樹脂などが用いられる。これらにより、第２の透光性基板２０の第１の透光性基板１０側と反対側面が、押圧操作を行うことのできる入力部１ａとされている。
【００２１】
また、第１の透光性基板１０の透明導電膜１１の外周部には、図中Ｙ方向において対向する二辺に沿って電極部１２ａが形成されている。一方、第２の透光性基板２０の透明導電膜２１の外周部には、Ｙ方向と直交する図中Ｘ方向において対向する二辺に沿って電極部２２ａが形成されている。これらの電極部１２ａ、２２ａは、後述する構成により電極シート３０の第３の接続電極部３１と電気的に接続される。
【００２２】
加飾フィルム５０は、加飾部５１が全周に渡る枠形状に形成されていて、第２の透光性基板２０に取付けられることで加飾部５１が入力部１ａを取り囲むようにされている。一方、入力部１ａを覆う領域は透明で、その下部に配置される表示装置に表示される文字や画像などを透過して見ることができる。加飾部５１は、着色されて光を透過せず、表示装置の額縁として座標入力装置１が取付けられる電子機器におけるデザインの一部を構成する。また、加飾部５１には、着色の他に、模様、文字、マーク、絵柄等を加えることができる。
【００２３】
次に、座標入力装置１の動作原理について説明する。図２には、座標入力装置１の動作原理を表した模式図を示している。座標入力装置１においては、入力部１ａからの押圧操作時において、Ｘ方向とＹ方向のそれぞれについて押圧座標位置を特定する動作を行う。図２（ａ）は、Ｘ方向について押圧座標位置を特定する際の動作原理を示している。
【００２４】
図２（ａ）に示すように、例えば第２の透光性基板２０の点Ｓをタッチペン等で押圧操作したとすると、可撓性を有する第２の透光性基板２０が撓むことによって、点Ｓにおいて第２の透光性基板２０の透明導電膜２１と第１の透光性基板１０の透明導電膜１１とが接触し導通する。
【００２５】
Ｘ方向における座標を検出する際には、第２の透光性基板２０の電極部２２ａ、２２ａ間に電圧が印加される。これにより、第２の透光性基板２０の表面に形成された透明導電膜２１には、点Ｓと各電極２２ａとの間に、それぞれの距離に応じた抵抗値ＲＸ１、ＲＸ２でＸ方向に電位勾配が形成される。この点Ｓにおける電位を、第１の透光性基板１０に形成された電極１２ａから取り出し、Ａ／Ｄ変換することにより、Ｘ方向における座標を検出することができる。
【００２６】
Ｙ方向における座標を検出する際には、図２（ｂ）に示すように、第１の透光性基板１０の電極部１２ａ、１２ａ間に電圧が印加される。これにより、第１の透光性基板１０の表面に形成された透明導電膜１１には、点Ｓと各電極１２ａとの間に、それぞれの距離に応じた抵抗値ＲＹ１、ＲＹ２でＹ方向に電位勾配が形成される。そして、点Ｓにおける電位を、第２の透光性基板２０に形成された電極２２ａから取り出し、Ａ／Ｄ変換することにより、Ｙ方向における座標を検出することができる。
【００２７】
座標入力装置において出力を取り出すための構成についてより詳細に説明する。図１に示すように、第１の透光性基板１０の第２の透光性基板２０と対向する面には、電極１２ａ、１２ａ及び電極２２ａ、２２ａからの出力を取り出すための出力用電極１４が、一端側に配置されている。出力用電極１４は、第１の透光性基板１０の電極１２ａと導通する２つの第１の出力用電極１４ａ、１４ａと、第２の透光性基板２０の電極２２ａと導通する２つの第２の出力用電極１４ｂ、１４ｂとが、互い違いに並設配置されてなる。
【００２８】
第１の出力用電極１４ａ、１４ａは、それぞれ第１の透光性基板１０の外周辺に沿って形成された配線部１２ｂと連続しており、配線部１２ｂはさらに第１の透光性基板１０に設けられた電極１２ａ、１２ａと連続している。一方、第２の出力用電極１４ｂ、１４ｂは、それぞれ第１の透光性基板１０の一辺側に伸びて、第１の接続電極部１３、１３と連続している。
【００２９】
第１の接続電極部１３、１３は、第２の透光性基板２０側と電気的な接続をなすための電極である。これらの第１の接続電極部１３が配置された領域は、周囲三方に渡って舌片形成スリット１５が形成されていて、これによって出力用電極１４側の一方向からのみ支持された片持ち状の舌片１６となっている。第１の透光性基板１０は可撓性を有しているため、舌片１６は図１におけるＺ方向に屈曲することが可能となっている。
【００３０】
第２の透光性基板２０には、第１の透光性基板１０と対向する面の第１の接続電極部１３、１３と対向する位置に、第２の接続電極部２３、２３がそれぞれ形成されている。第２の接続電極部２３は、第２の透光性基板２０の外周辺に沿う配線部２２ｂと連続状となっており、また配線部２２ｂは電極２２ａと連続状となっている。
【００３１】
前述のように、第１の透光性基板１０に形成された舌片１６は、Ｚ方向に屈曲可能であるため、これを第２の透光性基板２０側に近接するように屈曲させることで、第１の接続電極部１３と第２の接続電極部２３とを、導通させることができる。
【００３２】
また、第１の透光性基板１０の出力用電極１４よりも外周寄りの位置には、一直線状のシート引き出しスリット１７が形成されている。シート引き出しスリット１７は、電極シート３０の先端部の幅よりもやや広い幅を有してなり、電極シート３０の第３の接続電極部３１が形成される領域を挿通させることができるように形成されている。電極シート３０は、第１の透光性基板１０の下面側から先端部がシート引き出しスリット１７に挿通されて、第１の透光性基板１０と第２の透光性基板２０間の領域に差し込まれ、この領域で第３の接続電極部３１が出力用電極１４に接続される。
【００３３】
図３には座標入力装置が組み立てられた状態における図１のＡ−Ａ断面に相当する断面図を、図４には座標入力装置の第１の透光性基板１０側から見た舌片形成スリット１５及びシート引き出しスリット１７付近の拡大斜視図を、それぞれ示している。図３に示すように、第１の透光性基板１０と第２の透光性基板２０は、周縁部に設けられる絶縁層４０によって離隔対向するようにされている。
【００３４】
図３及び図４に示すように、舌片形成スリット１５によって屈曲可能とされた舌片１６は、根元部が屈曲されることによって、第１の接続電極部１３が配置された先端部側が第２の透光性基板２０側に近接させられる。そして、図３に示すように、舌片１６の先端部領域に形成された第１の接続電極部１３は、異方性導電接続材１８を介して第２の接続電極部２３に対し電気的に接続される。また、第１の接続電極部１３と第２の接続電極部２３は、その他の手法によって電気的に接続されてもよく、例えば非導電性の接着材を用いた場合に、第１の接続電極部１３と第２の接続電極部２３を直接接触させて接着材を硬化させ、接合をなすようにしてもよいし、また第１の接続電極部１３と第２の接続電極部２３の電極部分のみに導電性接着材を塗布し、硬化させて接合をなすようにしてもよい。
【００３５】
異方性導電接続材１８は、エポキシ樹脂などの導電性を有しないベース材に、金属メッキされた樹脂ビーズなどの導電粒子を均一に分散させたものであり、第１の接続電極部１３と第２の接続電極部２３の間に挟んだ状態で、熱及び圧力を加えて硬化させると、導電粒子が厚み方向においては電極間に捕捉されて両者を導通状態としつつ、平面方向においては絶縁状態を維持することができるものである。
【００３６】
このように、第１の透光性基板１０に第１の接続電極部１３を有する舌片１６を形成し、これを第２の透光性基板２０側に近接させ第２の接続電極部２３と電気的な接続をなすことで、舌片１６に異方性導電接続材１８を塗布した上でこれを第２の透光性基板２０に押付け、異方性導電接続材１８を硬化させるという簡単な工程により、第１の透光性基板１０と第２の透光性基板２０の間で電気的な接続をなすことができ、製造工程を簡易化することができる。
【００３７】
また、舌片１６を屈曲させているので、第１の透光性基板１０や第２の透光性基板２０に、温度変化等による収縮が生じた場合であっても、屈曲部分により厚み方向の裕度が生じるため、収縮の影響が緩和されて接続部分に影響を与えないようにすることができる。したがって、収縮が生じた場合にも、第１の透光性基板１０と第２の透光性基板２０の間で、確実な接続を維持することができ、また入力部１ａ側に対する凹凸の発生も防止することができる。
【００３８】
また、図３及び図４に示すように、第１の透光性基板１０の第２の透光性基板２０と対向する面と反対側面から差し込まれる電極シート３０は、シート引き出しスリット１７の部分で屈曲して、第３の接続電極部３１が形成された先端部領域が第１の透光性基板１０と第２の透光性基板２０の間の領域に配置される。そして、第３の接続電極部３１と出力用電極１４は、異方性導電接続材１８を介して電気的に接続される。
【００３９】
このように、電極シート３０が第１の透光性基板１０のシート引き出しスリット１７から挿通されて、第１の透光性基板１０と第２の透光性基板２０の間の領域で第３の接続電極部３１と出力用電極１４が接続されることにより、電極シート３０を座標入力装置の下面側から引き出すことができるので、座標入力装置を取付ける機器内において、電極シート３０を取り回しやすくすることができ、また電極シート３０を座標入力装置の下面に直接、接続する場合と異なり、スルーホール及び第１の透光性基板１０の下面に必要な出力用電極の配線の形成を不要とすることができるので、工程を簡易化し座標入力装置の製造を容易にすることができる。
【００４０】
図５には、本実施形態の座標入力装置１が用いられている電子機器の一例である、携帯電話機３の斜視図を示している。この図に示すように、本実施形態の座標入力装置１は、表示装置２の表面を構成する部品として、携帯電話機３に用いられ、表示装置２の表面側を構成する入力部１ａを指あるいはタッチペン等で押圧することで、種々の操作を行うことができる。また、座標入力装置１の加飾フィルム５０に形成された加飾部５１は、外部から見ることができ、携帯電話機３の表示部を縁取る枠として、携帯電話機３のデザインの一部を構成する。
【００４１】
図６には、別の形態の座標入力装置の断面図を示している。図６の座標入力装置は、図３に示すものと概ね同様の構成を有しているが、図３の座標入力装置を構成する第１の透光性基板１０の下面側に、接合層７０を介して支持部材６０が接合されている点が異なっている。
【００４２】
接合層７０は、アクリル樹脂系の粘着材や接着材であり、透光性を有した透明な材料からなっている。また、アクリル樹脂系粘着テープを用いることもできる。この接合層７０の厚みは、５μｍ〜２００μｍ程度とされる。
【００４３】
支持部材６０は、透明な樹脂板からなり、ポリカーボネート樹脂や環状ポリオレフィン、ポリメタクリル酸メチル樹脂等のプラスチック素材で形成することが望ましい。支持部材６０は、第１の透光性基板１０よりも厚く形成されており、具体的には０．５ｍｍ〜２ｍｍ程度の厚みを有するように形成されている。
【００４４】
支持部材６０は、第１の透光性基板１０の下面の、略全面に渡って設けられており、第１の透光性基板１０のシート引き出しスリット１７及びこのシート引き出しスリット１７から引き出された電極シート３０に対向する部分には、段落ちした段部６１が形成されている。シート引き出しスリット１７から引き出された電極シート３０は、段部６１により形成される支持部材６０と第１の透光性基板１０の間の領域に挿通され、外部に引き出される。
【００４５】
以上、本発明の実施形態について説明したが、本発明の適用は本実施形態には限られず、その技術的思想の範囲内において様々に適用されうるものである。本実施形態では、座標入力装置１が用いられる電子機器として、携帯電話機３を挙げたが、これには限られず、デジタルカメラやＰＤＡ、携帯ゲーム機、カーナビゲーション装置等、様々な電子機器に適用されうる。
【００４６】
また、第１の透光性基板１０に形成される舌片１６の構成としては、舌片形成スリット１５によって一方向から支持された片持ち状に形成されていればよく、本実施形態では舌片１６が三方から囲まれるように、舌片形成スリット１５を略Ｕ字状となるように形成したが、例えば図７に示すように、第１の透光性基板１０の端部にかかる平行な２本の舌片形成スリット１５によって、舌片１６を形成するようにしてもよい。
【符号の説明】
【００４７】
１    座標入力装置
１ａ  入力部
２    表示装置
３    携帯電話機
１０    第１の透光性基板
１１    透明導電膜
１２ａ  電極部
１２ｂ  配線部
１３    第１の接続電極部
１４    出力用電極
１５    舌片形成スリット
１６    舌片
１７    シート引き出しスリット
１８    異方性導電接続材
２０    第２の透光性基板
２１    透明導電膜
２２ａ  電極部
２２ｂ  配線部
２３    第２の接続電極部
３０    電極シート
３１    第３の接続電極部
３２    異方導電接続材
４０    絶縁層
５０    加飾フィルム
５１    加飾部
【図１】
2012247812.tif 000003
【図２】
2012247812.tif 000004
【図３】
2012247812.tif 000005
【図４】
2012247812.tif 000006
【図５】
2012247812.tif 000007
【図６】
2012247812.tif 000008
【図７】
2012247812.tif 000009